(57)【要約】【課題】加工品内部の交差孔の交差部分に生じるバリを効率よく切除できるバリ取り工具を提供する。【解決手段】回転軸部１の回転中心の周囲に放射状に配設した複数の切刃部２を設ける。切刃部の外縁部には所定のすくい角を有する切削刃３を形成する。前記バリ取り工具を孔内に挿入し、複数の孔の交差部分にて回転軸部を中心として回転させることにより、切刃部の外縁部に形成した切削刃によりバリを能率よく切除することができる。【選択図】図１
2005297130.tif 000002
【特許請求の範囲】
【請求項１】
回転軸部と、該回転軸部の回転中心の周囲に放射状に配設した複数の切刃部からなる交差孔のバリ取り工具であって、
前記切刃部は、
前記回転中心と直交する方向から見た最大投影形状が加工の対象となる孔の半径以下の半円形状となるように形成すると共に、
該切刃部の外縁部に切削刃を形成したこと
を特徴とする交差孔のバリ取り工具。
【請求項２】
前記切削刃には所定のすくい角が設定されている請求項１に記載の交差孔のバリ取り工具。
【請求項３】
前記切削刃は切刃部の両側に形成されている請求項１に記載の交差孔のバリ取り工具。
【請求項４】
前記切刃部は、その外縁部が連続した円弧形状である請求項１に記載の交差孔のバリ取り工具。
【請求項５】
前記切刃部は、その外縁部が多数の凹凸からなる歯型形状である請求項１に記載の交差孔のバリ取り工具。
【請求項６】
前記切刃部は、回転中心の周囲に等角度間隔で配設されている請求項１に記載の交差孔のバリ取り工具。
【請求項７】
前記切刃部は、回転中心の周囲に不等角度間隔で配設されている請求項１に記載の交差孔のバリ取り工具。
【発明の詳細な説明】
【技術分野】
【０００１】
本発明は交差孔のバリ取り工具に関し、より詳しくは加工品の内部にて交差する複数の孔の交差部分に発生するバリを切除するための工具に関する。
【背景技術】
【０００２】
ドリル等の切削工具により加工した孔の開口部に生じるバリを除去するための工具としては例えば特許文献１に示したものが知られている。
【特許文献１】特開平８−２４３８２６号公報
【発明の開示】
【発明が解決しようとする課題】
【０００３】
従来のバリ取り工具は加工品の外部に露出した孔の開口部周縁に生じるバリを除去する目的で作られており、加工品の孔内に生じるバリについては除去不能であった。孔内のバリは、加工品に互いに交差するように複数の孔を加工した場合に、各孔内壁の交差部分に形成される稜線部分に発生する。このような交差孔内に生じるバリは従来は孔径よりも細いヤスリ等を用いて手作業で除去していたため能率が悪かった。
【０００４】
本発明はこのような問題点に着目してなされたもので、加工品内部の交差孔の交差部分に生じるバリを効率よく切除できるバリ取り工具を提供することを目的としている。
【課題を解決するための手段】
【０００５】
本発明は、回転軸部と、該回転軸部の回転中心の周囲に放射状に配設した複数の切刃部からなる。前記切刃部は、前記回転中心と直交する方向から見た最大投影形状が加工の対象となる孔の半径以下の半円形状となるように形成する。また、該切刃部の外縁部には所定のすくい角を有する切削刃を形成する。
【発明の効果】
【０００６】
本発明に係るバリ取り工具を孔内に挿入し、複数の孔の交差部分にて回転軸部を中心として回転させることにより、切刃部の外縁部に形成した切削刃によりバリを切除することができる。作業は工具を加工品の孔内に挿入して手動または電動機等により回転させるだけであるので能率よくバリ取りを行うことができる。
【発明を実施するための最良の形態】
【０００７】
以下、本発明の実施形態を図面に基づいて説明する。図１または図２において、１は回転軸部、２は板状の切刃部を示している。切刃部２は複数のもの（この場合、4個）を回転軸部１の一端部に、その回転中心の周囲に等角度間隔で放射状に配設してある。
【０００８】
前記切刃部２は、前記回転中心と直交する方向から見た最大投影形状が加工の対象となる孔の半径以下の外径を有する半円形状となるように形成してある。切刃部２の外形形状は、孔内に生じるバリに確実に当接する限り必ずしも真円形状でなくともよい。
【０００９】
前記切刃部２の外縁部には所定のすくい角ｇを有する切削刃３を形成してある。この実施形態では、切削刃３を回転方向によらず作業できるように各切刃部２の両面に設けてある。また、切削刃３は前記切刃部外縁部に沿って連続した円弧形状に設けてあるが、該外縁部の全体ではなく、バリを切除するのに必要な程度に部分的に設けてある。
【００１０】
図３は前記バリ取り工具を適用したバリ取り作業の様子を示している。加工物内にて交差するように2方向からドリル等により孔aとｂを形成すると、その交差部分の内壁面に生じる稜部ｃ〜ｄにバリが発生する。このように交差孔内にバリを生じる加工品の一例として、図４に示したようなナックルハウジングがある。図のｆはボールジョイントが挿入される孔部、ｈは前記孔部ｆに挿入されたボールジョイントを締結するためのボルトを挿入する孔部である。各孔部ｆ、ｈが交差する稜部ｉにバリが発生する。
【００１１】
前述のような交差孔内のバリを切除するには、図３に示したように回転軸部１の基端部を電動機等の回転駆動器具（図示せず）に装着し、何れか一方の孔の開口部からバリ取り工具を回転させながら挿入する。このとき工具の切刃部２が孔内壁面に接触しないように図る。工具切刃部２が孔内のバリ部分に位置するように孔開口部からの観察または測定により挿入量を調節しながら切刃部２をバリに当接させて切削を行う。この作業を、必要に応じて他の孔についても実施する。これによりバリを効率よく除去することができる。
【００１２】
図５に切刃部２に関する他の実施形態を示す。この実施形態は、切削刃３を形成する切刃部２の外縁部を多数の凹凸からなる歯型形状に形成してある。このように切刃部２を歯型形状とすることにより、バリ取り作業の際の切刃部２とバリとの間で切削抵抗による逃げが起こりにくくなり、切削刃３により確実にバリを捕捉して切削を行うことができる。また、バリと切削刃３とは一度に接触する面積が少なくなるため切削抵抗を軽減すると共に、過大な切削抵抗に原因する工具の破損を防止することができる。切削刃３のすくい角ｇを適宜に設置することで切削抵抗をより軽減する効果が得られる。
【００１３】
なお、前記実施形態では４枚の切刃部２を回転軸部１の中心線の周囲に９０度の等角度間隔で設けているが、工具を電動機等により高速回転させる場合には、複数の切刃部の角度を若干異ならせて不等角度間隔で設けるようにしてもよく、これにより作業時の共振を防止することができる。
【図面の簡単な説明】
【００１４】
【図１】本発明によるバリ取り工具の実施形態を示す側面図。
【図２】前記実施形態の正面図。
【図３】本発明に係るバリ取り工具を適用したバリ取り作業の様子を示す説明図。
【図４】交差孔を有する加工品の一例を示す外観斜視図。
【図５】本発明によるバリ取り工具の他の実施形態の切刃部を示す斜視図。
【符号の説明】
【００１５】
１    回転軸部
２    切刃部
３    切削刃
ｇ    すくい角
【図１】
2005297130.tif 000003
【図２】
2005297130.tif 000004
【図３】
2005297130.tif 000005
【図４】
2005297130.tif 000006
【図５】
2005297130.tif 000007